(57)【要約】【課題】飛散するトナーによる画像不良等を防止し、高速で高画質な画像形成ができる画像形成装置を提供すること。【解決手段】画像情報に基づきトナー像を形成する像担持体と、前記像担持体に接触する転写ベルトと、前記転写ベルト表面に付着したトナーをクリーニングするためのクリーニング手段と、前記クリーニング手段が設けられた転写ベルトクリーニング室と、を有する画像形成装置において、少なくとも前記転写ベルトクリーニング室の内部に空気を排出する排気口を有する空気流路形成手段を設けたこと。【選択図】図２
2007225658.tif 000002
【特許請求の範囲】
【請求項１】
画像情報に基づきトナー像を形成する像担持体と、
前記像担持体に接触する転写ベルトと、
前記転写ベルト表面に付着したトナーをクリーニングするためのクリーニング手段と、
前記クリーニング手段が設けられた転写ベルトクリーニング室と、
を有する画像形成装置において、
少なくとも前記転写ベルトクリーニング室の内部に空気を排出する排気口を有する空気流路形成手段を設けたこと
を特徴とする画像形成装置。
【請求項２】
前記空気流路形成手段は、
少なくとも前記転写ベルトクリーニング室の内部の気圧を負圧にする負圧形成手段を有すること
を特徴とする請求項１に記載の画像形成装置。
【請求項３】
前記空気流路形成手段は、
前記転写ベルトクリーニング室の内部に冷気を導入する
冷気導入手段を備えたこと
を特徴とする請求項１または請求項２に記載の画像形成装置。
【請求項４】
前記冷気導入手段は、
外気を導入する吸気口を備えていること
を特徴とする請求項３に記載の画像形成装置。
【請求項５】
前記負圧形成手段は、
送風手段と、
送風される気体を浄化するフィルター手段を備えていること
を特徴とする請求項２記載の画像形成装置。
【発明の詳細な説明】
【技術分野】
【０００１】
本発明は、画像情報に基づき形成されたトナー像を記録媒体に定着することにより画像形成を行う複写機、プリンター、ファクシミリ装置等の画像形成装置に関する。
【背景技術】
【０００２】
近年、ＩＴ化の進歩によりインターネット等の情報網が普及し、取得できる情報量が飛躍的に増加している。この多量の情報はパーソナルコンピュータに接続された表示手段で確認されるだけでなく、画像形成装置で印刷（コピー、プリントともいう）されることが多い。この多量の情報には文字や数字、あるいは記号等の情報のみでなく、写真や図等の情報を含む、いわゆる画像情報を高速で高画質に画像形成できる画像形成装置が求められている。
【０００３】
そこで、画像情報を高速で高画質に画像形成できる画像形成装置として、静電写真方式による画像形成装置が使用されることが多いが、このような画像形成装置を使用する場合は、画像情報に基づき形成されたトナー像を像担持体から転写する手段として、接触状態が安定して得られる転写ベルトが用いられることが多くなっている。
【０００４】
転写ベルトには、像担持体に形成されたトナー像を転写ベルト上に転写した後に記録媒体に転写するようにした中間転写体としての転写ベルトや、記録媒体を搬送して像担持体からトナー像を記録媒体に転写するための搬送ベルトとしての転写ベルト等がある。
【０００５】
従来では、いずれの転写ベルトを用いる場合でも、画像形成を行う場合に発生するオゾンの問題や転写ベルトの速度変動等に係る画像不良等の発生を防止して高画質な画像を形成することが最大の課題であった。
【０００６】
例えば、接触型帯電装置や接触型転写装置においては、オゾンを発生させ、発生したオゾンは感光体ドラムの表面あるいは、帯電部材および転写部材の特性の劣化および短寿命化を引き起こす。また、オゾンに依って生成される低抵抗物質は画像流れ、あるいは画像ボケ等の不良を引き起こす可能性があるので、転写ベルト周りの空間に連通した通風路にファンを具備し、機内のオゾン等を排出するために機内の気体を機外に排出するようにした技術が公開されている（例えば、特許文献１参照）。
【０００７】
また、中間転写体としてのベルトあるいはシートの搬送体としての転写ベルトが熱膨張による寸法変化が発生すると画像ズレや色ずれ等の画像不良を起こすので、転写ベルトが掛け回されているローラの軸方向に沿ってファンによる冷却用空気の流路を形成して、ローラやベルトを冷却し、温度差が生じないようにした技術が公開されている（例えば、特許文献２参照）。
【特許文献１】特開平７−１９９６０７号公報
【特許文献２】特開２００４−１８４４５０号公報
【発明の開示】
【発明が解決しようとする課題】
【０００８】
しかしながら、特許文献１や特許文献２に記載のように、発生するオゾンや転写ベルトの熱膨張により生じる画像不良を解決するために、オゾンを機外に排出したり、転写ベルトを冷却するための空気の流路を設ける等の技術は知られていたが、従来では、このように大量の画像情報を高速に画像形成しようとすればするほど、像担持体や転写ベルトの搬送速度を速くする必要があり、例えば、転写ベルト上に付着したトナー等が飛散し易くなることにより画像不良を多発させるようになるというような高速化に係る問題に関しては、着目されていなかった。
【０００９】
つまり、高速で画像を形成するためには、像担持体に高速に画像を形成すると共に、転写ベルトの移動速度を速くする必要があり、また、転写ベルトから定着装置を介して排紙するまでの記録媒体の搬送経路を短くする必要がある。
【００１０】
転写ベルトの移動速度を速くすると、転写ベルト近傍の空気の流れが早くなり、転写ベルト上に付着した不要なトナーが飛散しやすくなる。転写ベルトをクリーニングするための転写ベルトクリーニング部では、移動速度の速い転写ベルト上の不要なトナーをブラシローラ等でクリーニングしようとすると、一層トナーが飛散し易くなる。
【００１１】
そこで、転写ベルトクリーニング部を囲うように壁を設けて転写ベルトクリーニング室としても、壁と転写ベルトとの間に隙間が生じ、完全密閉ができないので、クリーニングされたトナーが隙間から機外に流出して飛散したトナーによる画像汚れ等の画像不良が発生した。
【００１２】
また、搬送路を短くするために、定着装置に近いところに配置された転写ベルトクリーニング室で飛散するトナーは、定着装置の熱で壁が熱せられ、転写ベルトクリーニング室の壁に付着し融着して堆積し、堆積したトナーが外部に掻き出せなくなったりする不具合や、熱で軟らかくなったトナーが転写ベルトクリーニング室外へ飛散して、画像汚れ等の画像不良を発生させたり、機内で付着し堆積して様々な不良を誘発することにより画像形成が実行できなくなるという問題が生じていた。
【００１３】
特に、近年では、高速でトナー像を定着させるようにするために、トナーも従来より速く軟化するようになっている。例えば、従来ではトナーの軟化する温度（軟化温度ともいう）が「通常トナー」と称されるもので約１３０℃程度であったが、近年では、「低温定着トナー」と称するトナーの軟化温度が約１００℃程度の低いものを使用する傾向にあり、前述のように熱で軟らかくなったトナーの飛散による問題は一層深刻な問題となっていた。
【００１４】
本発明は、上記問題に鑑み、飛散するトナーによる画像不良等を防止し、高速で高画質な画像形成ができる画像形成装置を提供することを目的とする。
【課題を解決するための手段】
【００１５】
本発明は、下記構成を採ることで上記目的を達成できる。
１．画像情報に基づきトナー像を形成する像担持体と、
前記像担持体に接触する転写ベルトと、
前記転写ベルト表面に付着したトナーをクリーニングするためのクリーニング手段と、
前記クリーニング手段が設けられた転写ベルトクリーニング室と、
を有する画像形成装置において、
少なくとも前記転写ベルトクリーニング室の内部に空気を排出する排気口を有する空気流路形成手段を設けたこと
を特徴とする画像形成装置。
２．前記空気流路形成手段は、
少なくとも前記転写ベルトクリーニング室の内部の気圧を負圧にする負圧形成手段を有すること
を特徴とする１に記載の画像形成装置。
３．前記空気流路形成手段は、
前記転写ベルトクリーニング室の内部に冷気を導入する
冷気導入手段を備えたこと
を特徴とする１または２に記載の画像形成装置。
４．前記冷気導入手段は、
外気を導入する吸気口を備えていること
を特徴とする３に記載の画像形成装置。
５．前記負圧形成手段は、
送風手段と、
送風される気体を浄化するフィルター手段を備えていること
を特徴とする２に記載の画像形成装置。
【発明の効果】
【００１６】
本発明は、少なくとも転写ベルトクリーニング室の内部に空気を排出する排気口を有する空気流路形成手段を設けたことにより、画像形成装置の機内に飛散するトナーを形成された空気流路により集め空気を浄化することができると共に、転写ベルトクリーニング室から飛散するトナーも集めることができるので、画像形成装置の機内に飛散するトナーを逆流させることがなく、飛散するトナーによる画像汚れ等を防止し、高速で高画質な画像形成装置を提供できる。
【００１７】
また、空気流路形成手段が、少なくとも転写ベルトクリーニング室の内部の気圧を負圧にする負圧形成手段を有することにより、画像形成装置の機内の空気を吸い取る空気流路を形成することにより、飛散するトナーを集め空気を浄化することができると共に、転写ベルトクリーニング室から飛散するトナーを画像形成装置の機内に逆流させることがないので、飛散するトナーによる画像汚れ等を防止し、高速で高画質な画像形成装置を提供できる。
【００１８】
また、転写ベルトクリーニング室の内部に冷気を導入する冷気導入手段を備えたことにより、転写ベルトクリーニング室の内部を冷却することができ、熱で軟化したトナーが飛散して固着する画像汚れ等の画像不良を発生させたり、機内で付着し堆積して様々な不良を誘発することにより画像形成が実行できなくなるという問題の発生を防止し、高速で高画質な画像形成装置を提供できる。
【００１９】
また、冷気導入手段は、外気を導入する吸気口を備えていることにより、外気により冷却できるので、熱で軟化したトナーが飛散して固着する画像汚れ等の画像不良を発生させたり、機内で付着し堆積して様々な不良を誘発することにより画像形成が実行できなくなるという問題の発生を防止し、高速で高画質な画像形成装置を提供できる。
【００２０】
また、負圧形成手段は、送風手段と、送風される気体を浄化するフィルター手段を備えていることにより、簡単に画像形成装置の機内の空気を浄化できるので、容易に飛散するトナーによる画像汚れ等を防止し、高速で高画質な画像形成装置を提供できる。
【発明を実施するための最良の形態】
【００２１】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００２２】
図１は本発明に係る画像形成装置の画像形成部を示す模式図、図２は本実施の形態における空気流路形成手段を説明するための模式図である。
【００２３】
図１により本発明に係る画像形成装置の画像形成部の構成と作動について説明する。
【００２４】
本発明の実施の形態における画像形成装置は、説明を簡単にするために電子写真方式の複写機とする。電子写真方式の複写機はよく知られているので、本発明と直接関わりのない部分に関しては簡単に説明する。
【００２５】
画像形成部は画像形成装置（図示せず）の筐体内に配置されている。画像形成部は画像情報に基づき像担持体にトナー像を形成し、形成されたトナー像を記録媒体に転写し、記録媒体に転写されたトナー像を定着装置で記録媒体に定着することにより画像を形成する一連の画像形成作動を実行するように構成されている。
【００２６】
５は像担持体としての感光体ドラムである。画像形成を行う場合は、例えば、画像情報を読み取る読取手段や画像情報を記憶する記憶手段、画像情報に基づき感光体ドラム５の表面に露光光Ｅを照射する露光手段等を備え、画像形成装置全体の作動を制御する制御手段ＥＣが、まず、図示せぬ駆動源により矢印Ｙ１方向に感光体ドラム５を回転させる。
【００２７】
引き続いて、感光体ドラム帯電電手段６を作動させ感光体ドラム５の表面に一様な帯電を行い、露光手段が画像情報に基づき感光体ドラム５の表面に露光光Ｅを照射する。露光光Ｅの照射により感光体ドラム５の表面に形成された潜像を現像手段７がトナーにより現像してトナー像を形成する。
【００２８】
一方、感光体ドラム５におけるトナー像の形成にタイミングを合わせて、図示せぬ給紙カセットから予め選択された記録媒体Ｐが搬送され、搬送ガイドＨＧ１から感光体ドラム５に向けて搬送される。
【００２９】
転写ベルトＴＢは、駆動ローラＴＲ２と従動ローラＴＲ１との間に張架されている。図示せぬ駆動源により駆動ローラＴＲ２が矢印Ｙ３方向に回転すると従動ローラＴＲ１は矢印Ｙ２方向に回転し、転写ベルトＴＢは駆動ローラＴＲ２と従動ローラＴＲ１との間を循環して回転する。
【００３０】
転写ベルトＴＢに対して転写ベルト帯電手段８により所定の電荷が付与されると、搬送ガイドＨＧ１から感光体ドラム５に向けて搬送されてきた記録媒体Ｐを転写ベルトＴＢ上に静電気の作用により吸着して搬送する。
【００３１】
転写ベルトＴＢ上に吸着して搬送される記録媒体Ｐが、感光体ドラム５に接触して矢印Ｘ１方向に搬送されるとき、感光体ドラム５に形成されたトナー像が記録媒体Ｐに転写される。
【００３２】
感光体ドラム５はトナー像を記録媒体Ｐに転写した後も回転を続け、次の画像形成に支障がないように、感光体ドラムクリーニング手段９により感光体ドラム５の表面がクリーニングされる。
【００３３】
トナー像が転写された記録媒体Ｐは、転写ベルトＴＢにより搬送ガイドＨＧ２を介して定着装置１０に搬送される。
【００３４】
転写ベルトＴＢは、記録媒体Ｐを定着装置１０に搬送すると、壁ＫＲで囲まれた転写ベルトクリーニング室ＣＲに設けられたブラシローラＢＲやブレードＢＧ等のクリーニング手段により表面がクリーニングされる。転写ベルトＴＢの表面から取り除かれたトナーは転写ベルトクリーニング室ＣＲの底部に堆積する。堆積したトナーは、例えば、スクリュウ搬送手段ＳＣにより図１の紙面の表から裏の方向に移動させられ、図示せぬ残留トナー室に集められ、後日、廃棄されるようになっている。
【００３５】
定着装置１０は、例えば、ハロゲンヒータ等の加熱手段（図示せず）を内蔵する加熱ローラ１０ａと加圧ローラ１０ｂとにより構成されている。加熱ローラ１０ａが矢印Ｙ４方向に回転し加圧ローラ１０ｂが矢印Ｙ５方向に回転すると共に、加熱ローラ１０ａと加圧ローラ１０ｂとが当接して形成されるニップ部に、トナー像が転写された記録媒体Ｐが挿通されると、ニップ部の熱と圧力とによりトナーが溶融して記録媒体Ｐに固着する定着作動が行われる。
【００３６】
定着作動が終了した記録媒体は、その後、図示せぬ排紙皿等に排紙され積載されることにより、一連の画像形成作動を終了する。なお、複数の画像情報に基づき複数の記録媒体Ｐに画像形成作動を行う場合は、前述の一連の画像形成作動が繰り返されることになっている。
【００３７】
次に、図２により、本発明に係る転写ベルトクリーニング室に関して説明する。
【００３８】
本実施の形態においては、前述のような、一連の画像形成作動が高速で繰り返されることにより、転写ベルトＴＢの作動に関連して飛散するトナーが引き起こす様々な問題に着目している。
【００３９】
つまり、転写ベルトＴＢの表面には、例えば、記録媒体Ｐの紙粉やホコリ等の他に、記録媒体の全体に縁なしの印刷が行われたときに、記録媒体からはみ出した画像を形成していたトナーや感光体ドラムクリーニング手段９のブレード（図示せず）を損傷させないために、感光体ドラム５の表面にわずかに付着させたトナー、あるいは、記録媒体Ｐに完全に転写されなかったトナー等が残留トナーとして付着している。
【００４０】
転写ベルトＴＢの速度が速くなると、転写ベルトＴＢの周囲の空気の流れも速くなり、転写ベルトＴＢに付着した紙粉やホコリ、残留トナー等が舞い上がり飛散して、画像形成装置の内部に付着して堆積して、様々な問題を引き起こすことがある。
【００４１】
また、転写ベルトクリーニング室ＣＲで転写ベルトＴＢの表面をクリーニング手段によりクリーニングする際に、紙粉やホコリ、残留トナー等が舞い上がり、例えば、転写ベルトクリーニング室ＣＲと転写ベルトＢＴや搬送ガイドＨＧ２戸の隙間から飛散して、同様に、画像形成装置の内部に付着して堆積して、様々な問題を引き起こすことがある。
【００４２】
また、前述のように、画像形成を高速に行うために、転写ベルトクリーニング室ＣＲが定着装置１０の近傍に設けられた場合は、転写ベルトＴＢの表面がクリーニング手段によりクリーニングされて、転写ベルトクリーニング室ＣＲの測壁や底部に堆積したトナーが、定着装置１０の熱により軟らかくなり付着して堆積すると、後日、廃棄しようとした場合にとれなくなってしまうという問題を引き起こすことがあった。
【００４３】
そこで、本実施の形態においては、これらの問題を解決するために、飛散するトナーを集めて排出することができるように、転写ベルトクリーニング室に空気流路形成手段を設けている。
【００４４】
図２は本実施の形態における空気流路形成手段を説明するための模式図で、図１と同符号のものは同一のものを示すものとする。
【００４５】
図２の（Ａ）図は、図１の２点鎖線部Ｍを拡大して示したもので、空気流路形成手段が作動したとき、特に、転写ベルトクリーニング室ＣＲの隙間から飛散しているトナーを含む画像形成装置の機内の空気Ｗ１と空気Ｗ２の流入する様子を示し、また、転写ベルトクリーニング室ＣＲで転写ベルトＴＢがクリーニングされて堆積した不要トナーＴＮを排出するためのスクリュウ搬送手段ＳＣとの関係を示した模式図である。図２の（Ｂ）図は、図２の（Ａ）図の側面の構成を示した模式図である。
【００４６】
図２の（Ｂ）図において、画像形成装置の筐体１の内部に、転写ベルトクリーニング室ＣＲが壁ＫＲに区切られて形成されている。転写ベルトクリーニング室ＣＲの内部には、転写ベルトＴＢの表面をクリーニングするブラシローラＢＲやブレードＢＧ等のクリーニング手段が設けられている。また、クリーニング手段でクリーニングされ底部に溜まった不要トナーＴＮを搬送するためのスクリュウ搬送手段ＳＣが設けられている。
【００４７】
スクリュウ搬送手段ＳＣは、軸方向に形成されたスクリュウと呼ばれるネジ状の羽根部材を回転することにより、例えば、トナーを軸方向の一端から他端方向に搬送することができるようにしたものである。
【００４８】
図２の（Ｂ）図に向かって転写ベルトクリーニング室ＣＲの左隣に、不要トナー排出室ＣＲ２が壁ＫＲを隔て転写ベルトクリーニング室ＣＲと一体的に設けられている。この壁には、転写ベルトクリーニング室ＣＲからスクリュウ搬送手段ＳＣにより不要トナー排出室ＣＲ２に不要トナーを搬送するための排出口ＫＲ３が設けられている。
【００４９】
また、不要トナー排出室ＣＲ２に集められた不要トナーＴＮは、例えば、使用者やサービスマンが定期点検作業のときなどに、不要トナー排出室ＣＲ２に設けられた図示せぬ排出口を開いて取り出され、廃棄されるようになっている。
【００５０】
空気流路形成手段としては、図２の（Ｂ）図に向かって右側の筐体１には、外気を取り入れるための吸気口ＡＰ１が設けられている。吸気口ＡＰ１には外気の取り入れを禁止したり、外気を取り入れる量を調整することができる開閉可能な蓋Ｄが設けられている。
【００５１】
また、吸気口ＡＰ１から取り入れられた外気が転写ベルトクリーニング室ＣＲ内部に流入しやすいように転写ベルトクリーニング室ＣＲの壁ＫＲに吸気口としての開口ＫＲ１が設けられている。
【００５２】
更に、本実施の形態においては、特に、吸気口ＡＰ１の左側には、取り入れた外気を冷却することができる冷却手段ＣＬが設けられている。
【００５３】
図２の（Ｂ）図に向かって左側の筐体１には、不要トナー排出室ＣＲ２からの空気を排出するための排気口ＡＰ２が設けられ、不要トナー排出室ＣＲ２には排気口ＡＰ２に向けて空気を排出するためのファンＦＡと、例えば、排出する空気を浄化する集塵フィルタＦ２や流体を旋回させ、その遠心力を利用して粉塵を分離するサイクロンと呼ばれるフィルタＦ１手段が設けられている。
【００５４】
また、転写ベルトクリーニング室ＣＲと不要トナー排出室ＣＲ２を区切っている壁ＫＲには、転写ベルトクリーニング室ＣＲから不要トナー排出室ＣＲ２に空気を流入させるための排気口としての開口ＫＲ２が設けられている。前述の不要トナーＴＮを不要トナー排出室ＣＲ２に搬送するための排出口ＫＲ３も、不要トナーＴＮで塞がれていない場合は、排気口ＫＲ２と同様に空気を流入させることができる排気口として機能する。
【００５５】
本実施の形態における空気流路形成手段は、上流側に吸気口ＡＰ１を有し、下流側の不要トナー排出室ＣＲ２に設けられたファンＦＡを作動させることにより、吸気口ＡＰ１や転写ベルトクリーニング室ＣＲの隙間から、また、転写ベルトクリーニング室ＣＲの内部から飛散するトナーを含む空気を不要トナー排出室ＣＲ２へと吸い込む空気流路を形成することにより、飛散するトナーを集め、フィルタ手段で浄化した空気を排気口ＡＰ２から排気するようになっている。
【００５６】
したがって、機内の空気を吸い取ることで飛散する不要なトナーは不要トナー排出室ＣＲ２に集められて廃棄しやすくなり、また、機内の空気は浄化され、しかも、転写ベルトクリーニング室ＣＲの内部から機内に向けて空気が逆流することがないので、一層、画像汚れ等の不良を防止できるようになっている。
【００５７】
ここで、空気流路形成手段の３通りの作動について説明する。
【００５８】
まず、第１の作動として、吸気口ＡＰ１の蓋Ｄを閉じてファンＦＡを作動させた場合は、転写ベルトクリーニング室ＣＲの隙間から画像形成装置の機内の空気Ｗ１、Ｗ２、Ｗ３やＷ４を吸い込んで、転写ベルトクリーニング室ＣＲを通り排気口ＫＲ２や排出口ＫＲ３を通って、不要トナー排出室ＣＲ２に飛散しているトナーを含む空気を流入させ、不要トナー排出室ＣＲ２に流入した空気をフィルタ手段で浄化した後に、ファンＦＡにより画像形成装置の機外に排出することで、不要トナー排出室ＣＲ２に飛散しているトナーを集めるようにしている。
【００５９】
このとき、吸気口ＡＰ１の蓋Ｄは閉じられ外気を取り入れることができないが、負圧形成手段としてのファンＦＡがフィルタ手段を介して空気を排気口ＡＰ２から排気することにより、転写ベルトクリーニング室ＣＲや不要トナー排出室ＣＲ２の内部が強い負圧になり、完全に密閉されていない画像形成装置の隙間からわずかに外気を取り込みながら機内の空気Ｗ１、Ｗ２、Ｗ３やＷ４を転写ベルトクリーニング室ＣＲの隙間から強く吸い込むことで、機内に飛散するトナーを含め転写ベルトクリーニング室ＣＲや不要トナー排出室ＣＲ２で飛散するトナーを吸い込み、不要トナー排出室ＣＲ２に飛散していたトナーを集めると共に、不要トナー排出室ＣＲ２からは浄化された空気を排出することができる空気流路が形成されて、機内の空気を浄化して、機内に飛散するトナーによる画像不良を防止できるようになっている。
【００６０】
また、同時に、前述のように、転写ベルトクリーニング室ＣＲの隙間から機内の空気Ｗ１、Ｗ２、Ｗ３やＷ４を強く吸い込み、転写ベルトクリーニング室ＣＲや不要トナー排出室ＣＲ２を通って排気口ＡＰ２から排気する空気流路を形成したことにより、転写ベルトクリーニング室ＣＲの内部でクリーニング手段が転写ベルトＴＢをクリーニングする際にトナーを飛散させても、転写ベルトクリーニング室ＣＲの隙間から画像形成装置の機内に向けてトナーを飛散させることを防止できるので、転写ベルトクリーニング室ＣＲの内部で飛散するトナーが機内に向けて飛散することによる画像不良を防止できるようになっている。
【００６１】
第２の作動として、冷気導入手段としての吸気口ＡＰ１の蓋Ｄを開いてファンＦＡを作動させた場合は、吸気口ＡＰ１から外気を取り込むことにより、転写ベルトクリーニング室ＣＲや不要トナー排出室ＣＲ２の内部の負圧が減少し、転写ベルトクリーニング室ＣＲの隙間から空気Ｗ１、Ｗ２、Ｗ３やＷ４を吸い込む吸引力は若干減少するが、取り込んだ外気により転写ベルトクリーニング室ＣＲや不要トナー排出室ＣＲ２が冷却され、また、堆積したり飛散しているトナーが冷却されるので、例えば、定着装置１０に近い転写ベルトクリーニング室ＣＲの内部において、熱で軟化したトナーが飛散して転写ベルトＴＢに固着して画像汚れ等の画像不良を発生させたり、熱で軟化したトナーが転写ベルトＴＢに付着して、転写ベルトと接触する感光体ドラム等に付着することで、次々に機内で付着して堆積して様々な不良を誘発することにより画像形成が実行できなくなるという問題の発生を防止したりする問題を防止することができる。
【００６２】
なお、第２の作動においても、吸気口ＡＰ１から外気を取り込むと共に、機内の空気Ｗ１、Ｗ２、Ｗ３やＷ４を吸い込み、転写ベルトクリーニング室ＣＲや不要トナー排出室ＣＲ２を通って排気口ＡＰ２から排気する空気流路は形成されているので、前述のような機内の空気の浄化も行われるし、転写ベルトクリーニング室ＣＲの隙間から画像形成装置の機内に向けてトナーを飛散させることを防止できるので、転写ベルトクリーニング室ＣＲの内部で飛散するトナーが機内に向けて飛散することによる画像不良を防止できる。
【００６３】
第３の作動として、冷気導入手段としての蓋Ｄを開いて外気を導入した場合に、外気が暖かいとき、または、転写ベルトクリーニング室ＣＲや不要トナー排出室ＣＲ２等の内部を急速に冷却したい場合など、外気だけでは冷却できないときには冷気導入手段の補助手段としての冷却手段ＣＬを作動させ、取り込む外気を急速に冷却できるようにして、堆積したり飛散しているトナーが、定着装置１０の熱等により軟化して転写ベルトクリーニング室ＣＲや不要トナー排出室ＣＲ２の測壁や底部等に固着することを防止している。
【００６４】
そして、形成された空気流路により、最終的に、飛散するトナーは不要トナー排出室ＣＲ２に集められ、容易に廃棄することができるので、常に画像形成装置の機内を汚すことなく綺麗に保つことができ、高速で高画質な画像が形成できる画像形成装置を提供できる。
【００６５】
したがって、本実施の形態においては、転写ベルトクリーニング室ＣＲの内部で飛散するトナーは、形成された空気流路により機内に逆流しないし、例えば、感光体ドラム５から記録媒体Ｐにトナー像が転写される際にトナーが飛散したり、転写ベルトＴＢ上に付着したトナーが飛散した場合でも、形成された空気流路により飛散したトナーは吸い寄せられるので、機内の空気が浄化され、飛散するトナーによる従来の様々な問題の発生が防止される。
【００６６】
なお、空気流路形成手段の第１の作動乃至第３の作動は、適宜に切り換えて作動できるようにしても良いし、画像形成装置の設置環境等に応じて何れか一つが作動するようにしても良い。
【００６７】
また、本実施の形態においては、冷却手段ＣＬは、蓋Ｄを開いて外気を導入した場合に使用する一例について説明したが、蓋Ｄを閉じて機内の空気を冷却するようにしても良い。
【００６８】
また、不要トナー排出室ＣＲ２の室内長ｄが長い場合は、転写ベルトクリーニング室ＣＲから搬送されてきたトナーをよりフィルタ手段側に搬送するために、転写ベルトクリーニング室ＣＲに設けたスクリュウ搬送手段ＳＣを設けても良い。
【００６９】
また、画像形成装置の配置構成によっては、本実施の形態のように、不要トナー排出室ＣＲ２を転写ベルトクリーニング室ＣＲに隣接させずに、離れた位置に配置しても良いことは言うまでもない。
【００７０】
また、空気流路形成手段により形成された空気流路を活用することで、転写ベルトクリーニング室ＣＲから不要トナー排出室ＣＲ２への不要トナーの搬送手段とすることも可能である。
【００７１】
また、本実施の形態における空気流路形成手段は画像形成装置の機内の飛散するトナーを含む空気の浄化と、転写ベルトクリーニング室ＣＲの内部で飛散するトナーを、機内に逆流させないようにする機能を有するものであれば良く、本実施の形態に限定するものではない。
【００７２】
以上のように、本発明の実施の形態における画像形成装置は、画像形成装置の機内の飛散するトナーを含む空気の浄化と、転写ベルトクリーニング室ＣＲの内部で飛散するトナーを、機内に逆流させないようにすることにより、高速で高画質な画像形成装置を提供することができるようにしたものである。
【００７３】
そして、本実施の形態においては、少なくとも転写ベルトクリーニング室の内部に空気を排出する排気口を有する空気流路形成手段を設けたことにより、画像形成装置の機内に飛散するトナーを形成された空気流路により集め空気を浄化することができると共に、転写ベルトクリーニング室から飛散するトナーも集めることができるので、画像形成装置の機内に飛散するトナーを逆流させることがなく、飛散するトナーによる画像汚れ等を防止し、高速で高画質な画像形成装置を提供できるようになった。
【００７４】
また、空気流路形成手段が、少なくとも転写ベルトクリーニング室の内部の気圧を負圧にする負圧形成手段を有することにより、画像形成装置の機内の空気を吸い取る空気流路を形成することにより、飛散するトナーを集め空気を浄化することができると共に、転写ベルトクリーニング室から飛散するトナーを画像形成装置の機内に逆流させることがないので、飛散するトナーによる画像汚れ等を防止し、高速で高画質な画像形成装置を提供できるようになった。
【００７５】
また、転写ベルトクリーニング室の内部に冷気を導入する冷気導入手段を備えたことにより、転写ベルトクリーニング室の内部を冷却することができ、熱で軟化したトナーが飛散して固着する画像汚れ等の画像不良を発生させたり、機内で付着し堆積して様々な不良を誘発することにより画像形成が実行できなくなるという問題の発生を防止し、高速で高画質な画像形成装置を提供できるようになった。
【００７６】
また、冷気導入手段は、外気を導入する吸気口を備えていることにより、外気により冷却できるので、熱で軟化したトナーが飛散して固着する画像汚れ等の画像不良を発生させたり、機内で付着し堆積して様々な不良を誘発することにより画像形成が実行できなくなるという問題の発生を防止し、高速で高画質な画像形成装置を提供できるようになった。
【００７７】
また、負圧形成手段は、送風手段と、送風される気体を浄化するフィルター手段を備えていることにより、簡単に画像形成装置の機内の空気を浄化できるので、容易に飛散するトナーによる画像汚れ等を防止し、高速で高画質な画像形成装置を提供できるようになった。
【００７８】
なお、本実施の形態においては、画像形成装置は複写機として説明したが、画像形成装置は複写機に限定するものではなく、プリンタやファクシミリ装置であっても良いことは言うまでもない。
【図面の簡単な説明】
【００７９】
【図１】本発明に係る画像形成装置の画像形成部を示す模式図。
【図２】本実施の形態における空気流路形成手段を説明するための模式図。
【符号の説明】
【００８０】
１  筐体
５  感光体ドラム
６  感光体ドラム帯電手段
７  現像手段
８  転写ベルト帯電手段
９  感光体ドラムクリーニング手段
１０  定着装置
ＴＢ  転写ベルト
【図１】
2007225658.tif 000003
【図２】
2007225658.tif 000004